(57)【要約】    【課題】  既設のアスファルトプラント設備を利用し、若干の設備の追加改造によって油汚染土壌の処理をも行うことができる既設アスファルトプラント兼用油汚染土壌処理装置を提供する。    【解決手段】  ドライヤ（５）、骨材用振動スクリーン（１１）、計量装置（１３）、およびミキサ（４）を有し、ドライヤ（５）で加熱処理した原料を移送手段（３）で骨材用振動スクリーン（１１）に供給するよう構成したアスファルトプラント設備（Ａ）に、ドライヤで加熱処理済み汚染土壌の冷却・防塵用加水装置（１５）を併設し、骨材用振動スクリーン（１１）と冷却・防塵用加水装置（１５）とのいずれか一方へ切り換えて投入する正逆転コンベヤ（１８）を設け油汚染土壌処理もできるように構成する。    【選択図】  図１
2008073691.tif 000002
【特許請求の範囲】
【請求項１】
材料ストック用ホッパ（１）からの骨材をドライヤ（５）に搬送するコンベヤ（２）と、そのドライヤ（５）からの加熱された骨材を上部に骨材用振動スクリーン（１１）を有するホットビン（１２）に投入するためのホットエレベータ（３）とを備え、そのホットビン（１２）の下方に計量装置（１３）とその計量装置（１３）の下方に攪拌用のミキサ（４）とを配置したアスファルトプラント設備を用いた既設アスファルトプラント兼用油汚染土壌処理装置において、ドライヤ（５）で加熱処理された油汚染土壌の冷却・防塵用加水装置（１５）とその冷却・防塵用加水装置（１５）に冷却水を配水するための水タンク（１６）と冷却水ポンプ（１７）とが設けられ、前記ホットエレベータ（３）の出口部に冷却・防塵用加水装置（１５）と振動スクリーン（１１）とのいずれか一方に切り換える正逆転コンベヤ（１８）を設け、アスファルトプラントとして使用するときは骨材を振動スクリーン（１１）に切り換え、そして汚染土壌処理装置として使用するときは材料ストック用ホッパ（１）に油汚染土壌を投入して正逆転コンベヤ（１８）を冷却・防塵用加水装置（１５）に切り換えることを特徴とする既設アスファルトプラント兼用油汚染土壌処理装置。
【請求項２】
材料ストック用ホッパ（１）からの骨材をドライヤ（５）に搬送するコンベヤ（２）と、そのドライヤ（５）からの加熱された骨材を上部に骨材用振動スクリーン（１１）を有するホットビン（１２）に投入するためのホットエレベータ（３）とを備え、そのホットビン（１２）の下方に計量装置（１３）とその計量装置（１３）の下方に攪拌用のミキサ（４）とを配置したアスファルトプラント設備を用いた既設アスファルトプラント兼用油汚染土壌処理装置において、ドライヤ（５）で加熱処理された油汚染土壌の冷却・防塵用加水装置（１５）とその冷却・防塵用加水装置（１５）に冷却水を配水するための水タンク（１６）と冷却水ポンプ（１７）とが設けられ、前記ドライヤ（５）の出口部に冷却・防塵用加水装置（１５）とホットエレベータ（３）とのいずれか一方に切り換える正逆転コンベヤ（１８）を設け、アスファルトプラントとして使用するときは骨材をホットエレベータ（３）に切り換え、そして汚染土壌処理装置として使用するときは材料ストック用ホッパ（１）に油汚染土壌を投入して正逆転コンベヤ（１８）を冷却・防塵用加水装置（１５）に切り換えることを特徴とする既設アスファルトプラント兼用油汚染土壌処理装置。
【請求項３】
材料ストック用ホッパ（１）からの骨材をドライヤ（５）に搬送するコンベヤ（２）と、そのドライヤ（５）からの加熱された骨材を上部に骨材用振動スクリーン（１１）を有するホットビン（１２）に投入するためのホットエレベータ（３）とを備え、そのホットビン（１２）の下方に計量装置（１３）とその計量装置（１３）の下方に攪拌用のミキサ（４）とを配置したアスアファルトプラント設備を設け、さらに再生骨材を加熱するリサイクルドライヤ（２５）を設け、再生骨材が再生骨材ホッパ（２１）からエレベータ（２３）により前記リサイクルドライヤ（２５）に投入され、過熱処理された再生骨材はスキップエレベータ（２４）でサージビン（２６）に移送される再生骨材の加熱装置（Ｂ）を設けた既設アスファルトプラント兼用油汚染土壌処理装置において、リサイクルドライヤ（２５）で加熱処理された油汚染土壌の冷却・防塵用加水装置（１５）とその冷却・防塵用加水装置（１５）に冷却水を配水するための水タンク（１６）と冷却水ポンプ（１７）とが設けられ、前記サージビン（２６）の下方には前記冷却・防塵用加水装置（１５）と前記ミキサ（４）に投入するためのシュート（１９）とのいずれか一方に切り換える正逆転コンベヤ（１８）を設け、アスファルトプラントとして使用するときは再生骨材をシュート（１９）に切り換え、そして汚染土壌処理装置として使用するときは再生骨材ホッパ（２１）に油汚染土壌を投入して正逆転コンベヤ（１８）を冷却・防塵用加水装置（１５）に切り換えることを特徴とする既設アスファルトプラント兼用油汚染土壌処理装置。
【発明の詳細な説明】
【技術分野】
【０００１】
本発明は、既設のアスファルトプラント設備を利用して油汚染土壌の処理を行うことができる既設アスファルトプラント兼用油汚染土壌処理装置に関する。
【背景技術】
【０００２】
従来、油汚染土壌を加熱して脱油処理を行う場合は、専用の加熱式処理装置を用いて実施してきた。図４にその油汚染土壌処理装置の一例を示す。
図４に示すように、油汚染土壌処理装置Ｃは、材料ストック用ホッパ１、ドライヤ（１次処理ユニット）３１、および冷却・防塵用加水装置１５を主要の構成要件としており、コンベヤ２などの材料移送装置と、バグフィルタ６や排煙装置９などのダスト処理装置とで構成されている。
【０００３】
その処理作業は、汚染土壌Ｄがホッパ１に投入され、コンベヤ２を介してドライヤ３１に移送されて加熱脱油処理され、次に加水装置１５で冷却されて同時に土壌中の水分量が調整され、排出される。処理された土壌はＤｏで示されている。また、ドライヤ３１からの排出ガスは、バグフィルタ６で集塵され、さらに排風機７に吸引されて排煙装置９を通り、２次処理ユニット（脱臭処理炉）３２で処理されて無害化されて大気に放出されている。なお、バグフィルタ６で集められたダストは、ドライヤ３１に戻され、加水装置１５へ排出されている。
【０００４】
この加熱式の油汚染土壌処理装置には、通常のアスファルトプラントと共通の設備が多い。しかしながら、この両者には共通の装置が多いとはいえ、加熱式の処理装置とアスファルトプラントとは、それぞれの機能に特化されており、そのままのアスファルトプラントでは油汚染土壌を加熱処理することはできない。
【０００５】
従来のアスファルトプラント設備の構成の一例を図５に、また、加熱再生骨材をバージン合材に混入して再生合材をリサイクル生産する再生骨材加熱装置ＢをアスファルトプラントＡに併設したリサイクルプラント付帯アスファルトプラントの構成の一例を図６にそれぞれ示している。
【０００６】
図５において、上部に骨材用振動スクリーン１１を備えたホットビン１２の下方には計量装置１３が設けられ、さらにその下方にはミキサ４が配設されてミキシングタワーＭが構成されている。
一方、ミキシングタワーＭの傍らにはドライヤ５が設置され、材料ストック用ホッパ（またはビン）１からのコンベヤ２によって骨材が搬送されており、ドライヤ５からはホットエレベータ３によって前記振動スクリーン１１に加熱処理された骨材が投入されるように構成されている。
そして、ドライヤ５からの排ガスは、ダストラインＬによりバグフィルタ６を経て排風機７で吸気され、そして脱臭炉（脱臭装置）８から煙突（排煙装置）９へ排気されている。
【０００７】
また、再生骨材の加熱装置Ｂでは、図６に示すように、リサイクルドライヤ２５が設けられ、再生骨材が再生骨材ホッパ２１からエレベータ２３によりリサイクルドライヤ２５に投入されており、加熱処理された再生骨材は、さらにスキップエレベータ２４でサージビン２６に移送される。そして、サージビン２６から計量されてシュートＳを介してミキサ４に投入され、バージン合材と混合するように構成されている。なお、符号２７および２８はダストラインに設けられたブロワおよび乾式サイクロンをそれぞれ示している。
【０００８】
上記図５、図６に示すアスファルトプラントＡと図４に示す加熱式処理装置Ｃとの共通設備としては、材料ストック用ホッパ１、ベルトコンベヤ２、エレベータ３などの移送手段、ミキサ４、ドライヤ５、バグフィルタ６、脱臭装置８、排煙装置９などがある。この中で、特に、ドライヤ５は、高価であり、設備上では重要な部分を占め、両者において共通の温度制御で使えるものである。
そして、アスファルトプラントＡに固有の設備としては、骨材用振動スクリーン１１、ホットビン１２、骨材用計量装置１３、アスファルトタンク（図示なし）、アスファルト計量装置（図示なし）、アスファルト噴射装置（図示なし）、石粉サイロ（図示なし）など多数の装置がある。
【０００９】
一方、加熱式の油汚染土壌処理装置Ｃでは、固有の設備としては加熱処理された土壌を冷却、防塵するための加水装置１５である。
このように従来のアスファルトプラントでは、油汚染土壌を処理しようとしても加水冷却する装置がないために処理することができない。
また、特許文献１にはアスファルトプラントを用いて油汚染土壌を処理する技術が開示されているが、骨材と油汚染土壌との経路を変更するのにシュートを用いているので、誤作動の目視ができず、また多量の土壌を扱う場合に詰まりを生ずるおそれがある。
【特許文献１】特開２００３−８０２２６号公報
【発明の開示】
【発明が解決しようとする課題】
【００１０】
したがって、本発明は、既設のアスファルトプラントの設備を利用し、若干の設備の追加改造によって油汚染土壌の処理をも行うことができる既設アスファルトプラント兼用油汚染土壌処理装置を提供することを目的としている。
【課題を解決するための手段】
【００１１】
本発明によれば、材料ストック用ホッパ１からの骨材をドライヤ５に搬送するコンベヤ２と、そのドライヤ５からの加熱された骨材を上部に骨材用振動スクリーン１１を有するホットビン１２に投入するためのホットエレベータ３とを備え、そのホットビン１２の下方に計量装置１３とその計量装置１３の下方に攪拌用のミキサ４とを配置したアスファルトプラント設備を用いた既設アスファルトプラント兼用油汚染土壌処理装置において、ドライヤ５で加熱処理された油汚染土壌の冷却・防塵用加水装置１５とその冷却・防塵用加水装置１５に冷却水を配水するための水タンク１６と冷却水ポンプ１７とが設けられ、前記ホットエレベータ３の出口部に冷却・防塵用加水装置１５と振動スクリーン１１とのいずれか一方に切り換える正逆転コンベヤ１８を設け、アスファルトプラントとして使用するときは骨材を振動スクリーン１１に切り換え、そして汚染土壌処理装置として使用するときは材料ストック用ホッパ１に油汚染土壌を投入して正逆転コンベヤ１８を冷却・防塵用加水装置１５に切り換えるようになっている。
【００１２】
また本発明によれば、材料ストック用ホッパ１からの骨材をドライヤ５に搬送するコンベヤ２と、そのドライヤ５からの加熱された骨材を上部に骨材用振動スクリーン１１を有するホットビン１２に投入するためのホットエレベータ３とを備え、そのホットビン１２の下方に計量装置１３とその計量装置１３の下方に攪拌用のミキサ４とを配置したアスファルトプラント設備を用いた既設アスファルトプラント兼用油汚染土壌処理装置において、ドライヤ５で加熱処理された油汚染土壌の冷却・防塵用加水装置１５とその冷却・防塵用加水装置１５に冷却水を配水するための水タンク１６と冷却水ポンプ１７とが設けられ、前記ドライヤ５の出口部に冷却・防塵用加水装置１５とホットエレベータ３とのいずれか一方に切り換える正逆転コンベヤ１８を設け、アスファルトプラントとして使用するときは骨材をホットエレベータ３に切り換え、そして汚染土壌処理装置として使用するときは材料ストック用ホッパ１に油汚染土壌を投入して正逆転コンベヤ１８を冷却・防塵用加水装置１５に切り換えるようになっている。
【００１３】
上記の構成により、油汚染土壌処理では、ドライヤに原料として汚染土壌が供給されて加熱脱油処理され、移送手段で移送されてその出口部から冷却・防塵用加水装置に送られ、冷却されて排出される。また、アスファルトプラントとしては、骨材が原料としてドライヤに供給されて加熱処理され、移送手段出口部から振動スクリーンに投入され、ミキサでアスファルトと混合攪拌されて出荷される。この汚染土壌処理とアスファルト混合物生産とは、切換手段である正逆転コンベヤによって切り換えて行われる。
【００１４】
そして、本発明によれば、材料ストック用ホッパ１からの骨材をドライヤ５に搬送するコンベヤ２と、そのドライヤ５からの加熱された骨材を上部に骨材用振動スクリーン１１を有するホットビン１２に投入するためのホットエレベータ３とを備え、そのホットビン１２の下方に計量装置１３とその計量装置１３の下方に攪拌用のミキサ４とを配置したアスアファルトプラント設備を設け、さらに再生骨材を加熱するリサイクルドライヤ２５を設け、再生骨材が再生骨材ホッパ２１からエレベータ２３により前記リサイクルドライヤ２５に投入され、過熱処理された再生骨材はスキップエレベータ２４でサージビン２６に移送される再生骨材の加熱装置Ｂを設けた既設アスファルトプラント兼用油汚染土壌処理装置において、リサイクルドライヤ２５で加熱処理された油汚染土壌の冷却・防塵用加水装置１５とその冷却・防塵用加水装置１５に冷却水を配水するための水タンク１６と冷却水ポンプ１７とが設けられ、前記サージビン２６の下方には前記冷却・防塵用加水装置１５と前記ミキサ４に投入するためのシュート１９とのいずれか一方に切り換える正逆転コンベヤ１８を設け、アスファルトプラントとして使用するときは再生骨材をシュート１９に切り換え、そして汚染土壌処理装置として使用するときは再生骨材ホッパ２１に油汚染土壌を投入して正逆転コンベヤ１８を冷却・防塵用加水装置１５に切り換えるようになっている。
【００１５】
上記の構成により、油汚染土壌はリサイクルドライヤに投入されて加熱脱油処理され、再生骨材移送手段で移送されてその出口部から冷却・防塵用加水装置に送られ、冷却されて排出される。また、アスファルトプラントとしては、再生骨材がリサイクルドライヤで加熱処理され、再生骨材移送手段の出口部からミキサに投入され、バージン合材と混合攪拌されて出荷される。この汚染土壌処理とアスファルト混合物生産とは、再生骨材移送手段の出口部に設けられた切換手段である正逆転コンベヤによって切り換えて行われる。
【発明の効果】
【００１６】
本発明は、以上説明したように構成され、既設のアスファルトプラントを利用し、設備の変更追加によって簡単かつ低コストで油汚染土壌処理装置が構成することができ、アスファルトの生産と油汚染土壌の処理とが１つのプラントで実施できる。
【発明を実施するための最良の形態】
【００１７】
以下、図面を参照して本発明の実施形態を説明する。なお、前記図４〜図６の部品と同一機能を有する部品は同じ符号を付し、重複した説明は省略する。
【００１８】
図１において、上部に振動スクリーン１１を備えたホットビン１２の下方に計量装置１３が設けられ、その下方にミキサ４が配設されてミキシングタワーＭが構成されている。そのミキシングタワーＭの傍らにドライヤ５が設置され、材料ストック用ホッパ１からのコンベヤ２によって材料が搬送され、ドライヤ５からは移送手段であるホットエレベータ３によって前記振動スクリーン１１に投入されるように構成されている。
また、ドライヤ５からのダストラインは、バグフィルタ６を経て排風機７で吸気され、脱臭炉８から煙突９へ排出されている。これらの点は図５と同様である。
【００１９】
そして、図１の実施例では上記のアスファルトプラント設備の構成に対し、冷却・防塵用加水装置１５が併設されており、前記ホットエレベータ３の出口部に、その加水装置１５とミキシングタワーＭの振動スクリーン１１とのいずれか一方へ切り換える切換手段として正逆転コンベヤ１８が設けられている。また、加水装置１５には、水タンク１６から冷却水ポンプ１７で冷却水が配水されている。
【００２０】
以上の構成により、通常のアスファルトプラントとしては、ホッパ１から骨材がドライヤ５に送られて加熱処理され、ホットエレベータ３で搬送されて正逆転コンベヤ１８で振動スクリーン１１に投入される。そして、計量装置１３で計量されてミキサ４で加熱アスファルトと混合攪拌されて出荷される。
また、油汚染土壌処理を行う場合、ホッパ１に汚染土壌が投入されてドライヤ５に送られ、加熱されて脱油処理される。正逆転コンベヤ１８は移送方向が切り換えられ、脱油処理済み土壌は、ホットエレベータ３から正逆転コンベヤ１８で加水装置１５送られる。そして、水タンク１６からの冷却水が注入されて汚染土壌が処理される。なお、これらの処理プロセスは、連続して行われる。
【００２１】
図２は図１の変形例を示している。したがって対応する部品はすべて同じ符号で示されている。図２の例では切換手段である正逆転コンベヤ１８がドライヤ５の出口側に設けられている点で図１の実施の形態とは異なっている。
【００２２】
したがって、通常のアスファルトプラントとして使用する場合は、骨材がドライヤ５から正逆転コンベヤ１８を介してホットエレベータ３で搬送される。
他方、汚染土壌処理の場合は、加熱処理された土壌は加水装置１５に送られる。
その他の点は実質的に図１の例と同様である。
【００２３】
次の図３に示す実施形態は、前記図６で説明したアスファルトプラントに併設された再生骨材加熱装置を利用した油汚染土壌処理装置である。
再生骨材加熱装置の再生骨材移送手段であるエレベータ２４の出口部に設けられたサージビン２６の下方には、切換手段である正逆転コンベヤ１８が設けられており、さらに処理済み土壌の冷却・防塵用加水装置１５が設けられている。その正逆転コンベヤ１８は、サージビン２６から投入された材料を、その加水装置１５へとミキサ４に投入するシュート１９へとのいずれか一方へ切り換える切換手段の機能を有している。また、加水装置１５へは、水タンク１６から冷却水ポンプ１７により配水されている。
【００２４】
この実施形態では、アスファルトプラントとしては、ホッパ２１に再生骨材が投入されてエレベータ２３でリサイクルドライヤ２５に送られ、加熱処理されてスキップエレベータ２４でサージビン２６に送られる。そして正逆転コンベヤ１８でシュート１９に送られてミキサ４に投入され、バージン合材と混合攪拌される。
【００２５】
また、油汚染土壌の処理の場合は、ホッパ２１に汚染土壌が投入されてエレベータ２３でリサイクルドライヤ２５に送られ、加熱脱油処理されてスキップエレベータ２４でサージビン２６に送られる。そして、正逆転コンベヤ１８は移送方向が加水装置１５へ切り換えられており、処理土壌は冷却処理されて排出される。
なお、この実施形態では、サージビン２６に所定量溜まる毎にバッチ処理で処理するが、サージビン２６を使用せず連続処理をしてもよい。
【図面の簡単な説明】
【００２６】
【図１】本発明のアスファルトプラント兼用油汚染土壌処理装置の一実施形態を示す構成図。
【図２】図１に示す実施形態の変形例を示す構成図。
【図３】本発明のアスファルトプラント兼用油汚染土壌処理装置の別の実施形態を示す構成図。
【図４】従来の油汚染土壌処理装置の一例を示す構成図。
【図５】従来のアスファルトプラントの一例を示す構成図。
【図６】再生骨材加熱装置を併設したアスファルトプラントの一例を示す構成図。
【符号の説明】
【００２７】
１・・・材料ストック用ホッパ
２・・・ベルトコンベヤ
３・・・エレベータ
４・・・ミキサ
５・・・ドライヤ
６・・・バグフィルタ
７・・・排風機
８・・・脱臭装置
９・・・排煙装置
１１・・・骨材用振動スクリーン
１２・・・ホットビン
１３・・・骨材用計量装置
１５・・・冷却・防塵用加水装置
１６・・・水タンク
１７・・・冷却水ポンプ
１８・・・正逆転コンベヤ
２１・・・再生骨材ホッパフィーダ
２３・・・材料エレベータ
２４・・・スキップエレベータ
２５・・・リサイクルドライヤ
２６・・・サージビン
２８・・・乾式サイクロン
【図１】
2008073691.tif 000003
【図２】
2008073691.tif 000004
【図３】
2008073691.tif 000005
【図４】
2008073691.tif 000006
【図５】
2008073691.tif 000007
【図６】
2008073691.tif 000008